(57)【要約】【課題】最適の節電を行うビデの節電制御方法を提供する。【解決手段】使用の可否をチェックして非使用中と判断したら節電モードに進入し、節電モードに進入した後は、照度センサを利用して周辺の照度を感知し、その感知した周辺照度値と真夜中であるか否かを判別するために予め設定した最小設定値とを比べ、感知した照度値が最小設定値より低い場合は、ヒーター及び熱線をオフさせる動作で節電を行い、感知した照度値が最小設定値より大きい場合は、感知した照度値と点灯の可否を判別するために予め設定した最大設定値とを比べ、感知した照度値が最大設定値より低い場合は所定の節電温度を設定し、その設定した節電温度に対応するようにヒーター及び熱線の駆動を制御して節電を行い、感知した照度値が最大設定値より大きい場合は点灯と判断し、所定時間の間、節電を解除し、正常な温度を設定してヒーター及び熱線の駆動を制御する。【選択図】        図４
2004300907.tif 000002
【特許請求の範囲】
【請求項１】
ビデ（ｂｉｄｅｔ）の節電制御方法において、
使用の可否をチェックし、そのチェックの結果、使用中と判断されたら正常モードで動作を行い、非使用と判断されたら節電モードに進入する第１段階と、
前記節電モードに進入した後、照度センサを利用して周辺の照度を感知する第２段階と、
前記感知した周辺の照度値と真夜中であるか否かを判別するために予め設定した最小設定値とを比べ、前記感知した照度値が前記最小設定値より低い場合は、ヒーター及び熱線をオフさせる動作で節電を行う第３段階と、
前記感知した照度値が前記最小設定値より大きい場合は、前記感知した照度値と点灯の可否を判別するために予め設定した最大設定値とを比べる第４段階と、
前記感知した照度値が前記最大設定値より低い場合は、所定の節電温度を設定し、その設定した節電温度に対応するようにヒーター及び熱線の駆動を制御して節電を行う第５段階と、
前記感知した照度値が前記最大設定値より大きい場合は点灯と判断し、所定時間の間節電を解除し、正常的な温度を設定してヒーター及び熱線の駆動を制御する第６段階と
を含んでなることを特徴とするビデの節電制御方法。
【請求項２】
前記第５段階は、
前記感知した照度値が前記最大設定値より低い場合は、温水温度を３０℃に、便座温度を３０℃にして節電温度を設定する段階と、
温水制御の際に水温を検出する段階と、
前記検出した水温と前記設定した節電温度（３０℃）とを比べる段階と、
前記検出した水温が前記設定した節電温度より低い場合はヒーターを駆動させ、前記検出した水温が前記設定した節電温度より高い場合はヒーターをオフさせる段階と、
便座温度制御の際に便座温度を検出する段階と、
前記検出した便座温度と前記設定した節電温度（３０℃）とを比べる段階と、
前記検出した便座温度が前記設定した節電温度より低い場合は、熱線に電源を供給して熱線を駆動させ、前記検出した便座温度が前記設定した節電温度より高い場合は、熱線駆動電源を遮断して熱線をオフさせる段階と
でなることを特徴とする請求項１に記載のビデの節電制御方法。
【請求項３】
前記第６段階は、
前記感知した照度値が前記最大設定値より高い場合は、所定時間（１５分）の間節電を解除する段階と、
温水温度を４０℃に、便座温度を４２℃にして正常温度を設定する段階と、
温水制御の際に水温を検出する段階と、
前記検出した水温と前記設定した温水温度（４０℃）とを比べる段階と、
前記検出した水温が前記設定した温水温度より低い場合はヒーターを駆動させ、前記検出した水温が前記設定した温水温度より高い場合はヒーターをオフさせる段階と、
便座温度制御の際に便座温度を検出する段階と、
前記検出した便座温度と前記設定した便座温度（４２℃）とを比べる段階と、
前記検出した便座温度が前記設定した便座温度より低い場合は熱線に電源を供給して熱線を駆動させ、前記検出した便座温度が前記設定した便座温度より高い場合は熱線駆動電源を遮断して熱線をオフさせる段階と
を含んでなることを特徴とするビデの節電制御方法。
【発明の詳細な説明】
【０００１】
【発明の属する技術分野】
本発明は、ビデ（ｂｉｄｅｔ）の節電制御方法に係り、特に、照度センサを利用して照度を感知し、その感知した照度レベルに従って節電を制御することにより、最適の節電が行われるようにしたビデの節電制御方法に関する。
【０００２】
【従来の技術】
一般に、ビデは、使用者が使用した後に洗浄ボタンを押すことにより自動的に水を噴射して用便した部位を洗浄する機能と、乾燥ボタンを押すことにより洗浄部位に付いている残存の水気を乾燥させる乾燥機能と、使用しない時は電力を節減させる節電機能とを備えた装置として広く知られている。
【０００３】
図１は、上記のような機能を行う一般的なビデの設置状態を示す斜視図であって、ビデは座便器１０に設けられ、ビデ胴体部２０の一側に形成された操作パネル２１の操作により内部の温水をノズル２７を通じて噴射させ肛門洗浄および局部洗浄を自動に行い、洗浄後は前記操作パネル２１の操作で温風を発生させて自動に乾燥を行う。
【０００４】
また、前記ビデ胴体部２０の前方に使用者が敷いて座るシーツ２２が回転可能に備えられ、前記ビデ胴体部２０の上端部に前記シーツ２２を収容するカバー２３が回転可能に備えられる。
【０００５】
以上において、肛門洗浄とは、用便の後ノズルを通じて噴射される洗浄水でティッシュを使わずに肛門を洗浄することを、局部洗浄（または、ビデ洗浄とも呼ぶ）は温水で局部を自動に洗浄することをいう。
【０００６】
図２は、従来のビデの節電装置の構成を示すブロック図である。ここで、参照符号２１は操作パネルを示し、参照符号３０は洗浄水貯蔵槽内の水温を検出する水温センサを示し、参照符号４０は前記シーツ２２の内部に装着されてシーツの温度を検出する温度センサを示す。
【０００７】
また、参照符号５０は、前記操作パネル２１を通じて印加される機能信号を検索してそれに対応するように装置全体の動作を制御し、前記水温センサ３０及び温度センサ４０でそれぞれ検出した水温及びシーツ温度によりヒーター及び熱線の駆動を制御する制御部を示す。
【０００８】
また、参照符号６０は前記制御部５０から出力されるヒーター駆動制御信号によりヒーター７０を駆動させるヒーター駆動部６０を示し、参照符号８０は前記制御部５０から出力される熱線駆動制御信号に従って熱線９０を動作させる熱線駆動部８０を示す。
【０００９】
このように構成された従来のビデの節電装置は、制御部５０において操作パネル２１から出力される機能信号を検索し、その検索の結果、使用中であれば水温センサ３０で出力される水温と使用者が選択した温水の温度とを比べてヒーター７０の駆動を制御する。
【００１０】
例えば、使用者が選択した温水温度が水温センサ３０で検出した水温より低い場合は、ヒーター駆動部６０を動作させヒーター７０を駆動させるようになる。ここで、ヒーター７０は駆動されれば発熱して洗浄水の温度を上昇させるようになる。勿論、使用者が選択した温水の温度が水温センサ３０で検出した水温より高い場合は、前記ヒーター駆動部６０をオフさせる。
【００１１】
同様に、使用者が選択した便座温度と温度センサ４０で検出したシーツ温度とを比べ、その大小の可否によって熱線駆動部８０の動作を制御する。
【００１２】
一方、非使用中の場合、制御部５０は無条件的に節電モードに進入する。前記節電モードにおいては、以前に選択した温水温度より５℃低くなるように、同時に便座温度も以前に使用者が選択した便座温度より５℃低く設定した後、ヒーター駆動部６０と熱線駆動部８０とを制御する方式で節電機能を行うようになる。
【００１３】
図３は、従来のビデの節電制御方法を示すフローチャートである。ここに示すように、使用の可否を確認する段階Ｓ１１と、前記確認の結果、使用中の場合は正常モードで動作する段階Ｓ１２と、前記確認の結果、非使用中の場合は節電モードに進入する段階Ｓ１３と、前記節電モードに進入した状態で温水及び便座温度を再設定する段階Ｓ１４と、前記温水温度の再設定後、水温を検出する段階Ｓ１５と、前記検出した水温と再設定した温水温度とを比べる段階Ｓ１６と、前記検出した水温が前記再設定した温水温度より低い場合はヒーターを駆動させる段階Ｓ１７と、前記検出した水温が前記再設定した温度より高い場合はヒーターをオフさせる段階Ｓ１８と、前記便座温度の再設定後、便座温度を検出する段階Ｓ１９と、前記検出した便座温度と前記再設定した便座温度とを比べる段階Ｓ２０と、前記検出した便座温度が前記再設定の温度より高い場合は熱線供給電源を遮断する段階Ｓ２１と、前記検出した便座温度が前記再設定した便座温度より低い場合は熱線を駆動させる段階Ｓ２２とでなる。
【００１４】
このように行われる従来のビデの節電制御方法は、最初に段階Ｓ１１において、使用中であるか非使用中であるかを確認する（着座スイッチを利用して判断できる）。前記確認の結果、使用中と判断されたら段階Ｓ１２に移動し、正常モードで動作するようになる。
【００１５】
それとは異なり、前記確認の結果、非使用中と判断されたらＳ１３に移動し、節電モードに進入する。その後、段階Ｓ１４に移動し、温水及び便座温度を再設定するようになる。ここで、温水及び便座温度の再設定は、以前の温度レベルから５℃を引いて温水温度および便座温度を再設定する。
【００１６】
そして、温水制御の際に、段階Ｓ１５に移動して水温センサ３０を通じて洗浄水の温度を検出し、段階Ｓ１６で検出した水温と前記再設定した温度とを比べる。この比較の結果、検出した水温が前記再設定温度より低い場合は段階Ｓ１７に移動してヒーターを駆動させる。それとは異なり、検出した水温が前記再設定の温度と同じであるか高い場合は、段階Ｓ１８に移動し、ヒーターをオフさせるようになる。
【００１７】
次いで、便座温度制御の過程を説明すると次のようになる。段階Ｓ１９において温度センサ４０を利用して便座温度を検出する。そして、段階Ｓ２０において前記検出した便座温度と前記再設定の温度とを比べる。その比較の結果、検出した便座温度が前記再設定の温度に比べ同じであるか高い場合は段階Ｓ２１に移動して熱線の電源を遮断する。それとは異なり、前記検出した便座温度が前記再設定の温度より低い場合は、段階Ｓ２２に移動して熱線に駆動用電源を供給するようになる。
【００１８】
【課題を解決するための手段】
しかし、かかる従来のビデの節電制御方法は、非使用の場合は、以前の設定温度より５℃低く温度を再設定した後、節電モードに進入するようになるが、そのとき、ビデを殆ど使用しない真夜中（例えば、夜１１時〜早朝５時）もヒーター及び熱線に電源を供給し、一定の温度レベルを維持するため、電力の無駄使いが発生するなど諸問題点があった。
【００１９】
そこで、本発明は前記のような従来のビデの節電制御方法より発生する諸問題点を解決するために提案されたものであって、本発明の目的は、照度センサを利用して照度を感知し、その感知した照度レベルに従って節電を制御することにより、最適の節電が行われるようにしたビデの節電制御方法を提供することにある。
【００２０】
前記のような目的を達成するための本発明によるビデの節電制御方法は、ビデの節電制御方法において、使用の可否をチェックし、そのチェックの結果、使用中と判断されたら正常モードで動作を行い、非使用中と判断されたら節電モードに進入する第１段階と、前記節電モードに進入した後、照度センサを利用して周辺の照度を感知する第２段階と、前記感知した周辺の照度値と真夜中であるか否かを判別するために予め設定した最小設定値とを比べ、前記感知した照度値が前記最小設定値より低い場合はヒーター及び熱線をオフさせる動作で節電を行う第３段階と、前記感知した照度値が前記最小設定値より大きい場合は、前記感知した照度値と点灯の可否を判別するために予め設定した最大設定値とを比べる第４段階と、前記感知した照度値が前記最大設定値より低い場合は、所定の節電温度を設定し、その設定した節電温度に対応するようにヒーター及び熱線の駆動を制御して節電を行う第５段階と、前記感知した照度値が前記最大設定値より大きい場合は点灯と判断し、所定時間の間に節電を解除し、正常的な温度を設定してヒーター及び熱線の駆動を制御する第６段階とでなることを特徴とする。
【００２１】
前記において、第５段階は、前記感知した照度値が前記最大設定値より低い場合は温水の温度を３０℃に便座温度を３０℃にして節電温度を設定する段階と、温水制御の際に水温を検出する段階と、前記検出した水温と前記設定した節電温度（３０℃）とを比べる段階と、前記検出した水温が前記設定した節電温度より低い場合はヒーターを駆動させ、前記検出した水温が前記設定した節電温度より高い場合はヒーターをオフさせる段階と、便座温度制御の際に便座温度を検出する段階と、前記検出した便座温度と前記設定した節電温度（３０℃）とを比べる段階と、前記検出した便座温度が前記設定した節電温度より低い場合は熱線に電源を供給して熱線を駆動させ、前記検出した便座温度が前記設定した節電温度より高い場合は熱線駆動電源を遮断して熱線をオフさせる段階とでなる。
【００２２】
前記において、第６段階は、前記感知した照度値が前記最大設定値より高い場合は所定時間（１５分）の間節電を解除する段階と、温水温度を４０℃に、便座温度を４２℃にして正常温度を設定する段階と、温水制御の際に水温を検出する段階と、前記検出した水温と前記設定した温水温度（４０℃）とを比べる段階と、前記検出した水温が前記設定した温水温度より低い場合はヒーターを駆動させ、前記検出した水温が前記設定した温水温度より高い場合はヒーターをオフさせる段階と、便座温度制御の際に便座温度を検出する段階と、前記検出した便座温度と前記設定した便座温度（４２℃）とを比べる段階と、前記検出した便座温度が前記設定した便座温度より低い場合は熱線に電源を供給して熱線を駆動させ、前記検出した便座温度が前記設定した便座温度より高い場合は熱線駆動電源を遮断して熱線をオフさせる段階とでなる。
【００２３】
【発明の実施の形態】
以下、前述のような技術的思想による本発明の好ましい実施の形態を添付の図面に基づき詳しく説明すると次のようになる。
【００２４】
図４は、本発明が適用されるビデの節電制御装置の構成を示すブロック図である。ここで、参照符号２１は温水温度キー、便座温度キー、停止キーなどが備えられた操作パネルを示し、参照符号３０は洗浄水貯蔵槽内の水温を検出する水温センサを示し、参照符号４０は前記シーツ２２の内部に装着されシーツの温度（便座温度）を検出する温度センサを示し、参照符号１００は周辺の照度を検出する照度センサを示す。
【００２５】
また、参照符号５０は前記操作パネル２１を通じて印加される機能信号を検索してそれに対応するように装置全体の動作を制御し、前記水温センサ３０および温度センサ４０でそれぞれ検出した水温及び便座温度に従ってヒーター及び熱線の駆動を制御し、前記照度センサ１００により感知される照度値に従って節電モードの際に節電動作を制御する制御部を示す。
【００２６】
また、参照符号６０は前記制御部５０より出力されるヒーター駆動制御信号によりヒーター７０を駆動させるヒーター駆動部６０を示し、参照符号８０は前記制御部５０より出力される熱線駆動制御信号により熱線９０を動作させる熱線駆動部８０を示す。
【００２７】
このように構成された本発明が適用されるビデ装置は、制御部５０において操作パネル２１より出力される機能信号を検索し、その検索の結果、使用中であれば水温センサ３０より出力される水温と使用者が選択した温水温度とを比べてヒーター７０の駆動を制御する。
【００２８】
例えば、使用者が選択した温水温度が水温センサ３０で検出した水温より低い場合は、ヒーター駆動部６０を動作させてヒーター７０を駆動させるようになる。ここで、ヒーター７０は駆動されると発熱して洗浄水の温度を上昇させるようになる。
【００２９】
勿論、使用者が選択した温水温度が水温センサ３０で検出した水温より高い場合は前記ヒーター駆動部６０をオフさせる。同様に、使用者が選択した便座温度と温度センサ４０で検出したシーツ温度とを比べ、その大小により熱線駆動部８０の動作を制御する。
【００３０】
一方、非使用中の場合は、制御部５０は節電モードに進入し、前記照度センサ１００で検出した照度値に従って節電モードを制御するようになる。
【００３１】
例えば、感知した照度値が真夜中（夜１１〜早朝５時）であるかを判断するために設定した最小設定値より低い場合は真夜中であると判断して無条件的にヒーターをオフさせ、熱線の供給電源を遮断する方法で節電動作を制御するようになる。
【００３２】
また、感知した照度値が点灯の可否を判断するために設定した最大設定値より低い場合、すなわち感知した照度値が最小設定値以上で最大設定値以下である場合は、早朝から朝への変化のように、次第に明るくなると判断し、特定の節電温度（例えば、温水温度３０℃、便座温度３０℃）を設定して節電動作を制御するようになる。
【００３３】
また、感知した照度値が最大設定値より高い場合は、点灯になったものと判断し、所定の時間（１５分ぐらい）の間、無条件的に節電を解除し、温水温度を４０℃に、便座温度を４２℃に設定してヒーター及び熱線の動作を制御するようになる。
【００３４】
図５（ａ）、図５（ｂ）は、本発明によるビデの節電制御方法を示すフローチャートである。ここに示すように、使用の可否をチェックし、そのチェックの結果、使用中と判断されたら正常モードで動作を行い、非使用中と判断されたら節電モードに進入する段階Ｓ１０１〜Ｓ１０３と、前記節電モードに進入した後、照度センサを利用して周辺の照度を感知する段階Ｓ１０４と、前記感知した周辺照度値と真夜中であるか否かを判別するために予め設定した最小設定値とを比べ、前記感知した照度値が前記最小設定値より低い場合はヒーター及び熱線をオフさせる動作で節電を行う段階Ｓ１０５〜Ｓ１０６と、前記感知した照度値が前記最小設定値より大きい場合は、前記感知した照度値と点灯の可否を判別するために予め設定した最大設定値とを比べる段階Ｓ１０７と、前記感知した照度値が前記最大設定値より低い場合は所定の節電温度を設定し、その設定した節電温度に対応するようにヒーター及び熱線の駆動とを制御して節電を行う段階Ｓ１０８〜Ｓ１１６と、前記感知した照度値が前記最大設定値より大きい場合は点灯と判断し、所定時間の間、節電を解除し、正常な温度を設定してヒーター及び熱線の駆動を制御する段階Ｓ１１７〜Ｓ１２６とでなる。
【００３５】
前記において、段階Ｓ１０８〜Ｓ１１６は、感知した照度値が前記最大設定値より低い場合は温水温度を３０℃に、便座温度を３０℃にして節電温度を設定する段階Ｓ１０８と、温水制御の際に水温を検出する段階Ｓ１０９と、前記検出した水温と前記設定した節電温度（３０℃）とを比べる段階Ｓ１１０と、前記検出した水温が前記設定した節電温度より低い場合はヒーターを駆動させ、前記検出した水温が前記設定した節電温度より高い場合はヒーターをオフさせる段階Ｓ１１１およびＳ１１２と、便座温度制御の際に便座温度を検出する段階Ｓ１１３と、前記検出した便座温度と前記設定した節電温度（３０℃）とを比べる段階Ｓ１１４と、前記検出した便座温度が前記設定した節電温度より低い場合は熱線に電源を供給して熱線を駆動させ、前記検出した便座温度が前記設定した節電温度より高い場合は熱線駆動電源を遮断して熱線をオフさせる段階Ｓ１１５およびＳ１１６とでなる。
【００３６】
前記において、段階Ｓ１１７は、前記感知した照度値が前記最大設定値より高い場合は所定時間（１５分）の間節電を解除する段階Ｓ１１７と、温水温度を４０℃に、便座温度を４２℃にして正常温度を設定する段階Ｓ１１８と、温水制御の際に水温を検出する段階Ｓ１１９と、前記検出した水温と前記設定した温水温度（４０℃）とを比べる段階Ｓ１２０と、前記検出した水温が前記設定した温水温度より低い場合はヒーターを駆動させ、前記検出した水温が前記設定した温水温度より高い場合はヒーターをオフさせる段階Ｓ１２１およびＳ１２２と、便座温度制御の際に便座温度を検出する段階Ｓ１２３と、前記検出した便座温度と前記設定した便座温度（４２℃）とを比べる段階Ｓ１２４と、前記検出した便座温度が前記設定した便座温度より低い場合は熱線に電源を供給して熱線を駆動させ、前記検出した便座温度が前記設定した便座温度より高い場合は熱線駆動電源を遮断して熱線をオフさせる段階Ｓ１２５〜Ｓ１２６とでなる。
【００３７】
このようにしてなる本発明によるビデの節電制御方法を添付の図面に基づき詳しく説明すると次のようになる。最初に段階Ｓ１０１において着座スイッチを利用して使用の可否をチェックし、そのチェックの結果、使用中と判断されたら段階Ｓ１０２に移動し正常モードで動作を行うようになる。ここで、正常モードは一般的なビデの動作モードであるのでその詳しい説明は省略する。
【００３８】
前記チェックの結果、非使用中と判断されると段階Ｓ１０３に移動し節電モードに進入するようになる。前記節電モードに進入した後は、段階Ｓ１０４において照度センサ１００を利用してビデの周辺の照度を感知するようになり、段階Ｓ１０５においては、前記感知した周辺の照度値と真夜中であるか否かを判別するために予め設定した最小設定値とを比べるようになる。
【００３９】
ここで、予め設定した最小設定値は、真夜中であるか否かを判断するための基準値であって、通常真夜中を午後１１時から朝５時までであると定めることができ、通常、その時間帯は就寝時間であり、ビデを殆ど使用しない。したがって、その場合はヒーター及び熱線を共にオフにさせることが最適の節電になれると言える。
【００４０】
それで、前記比較の結果、前記感知した照度値が前記最小設定値より低い場合は、段階Ｓ１０６に移動してヒーター及び熱線をオフさせる動作で節電を行うようになる。
【００４１】
一方、前記感知した照度値が前記最小設定値より大きい場合は、段階Ｓ１０７に移動し、前記感知した照度値と点灯の可否を判別するために予め設定した最大設定値とを比べるようになる。ここで、最大設定値とは真夜中にビデを使用するために点灯をした場合を判断するために設定した基準値である。
【００４２】
前記感知した照度値が前記最大設定値より低い場合は、段階Ｓ１０８に移動して所定の節電温度を設定し、その設定した節電温度に対応するようにヒーター及び熱線の駆動を制御して節電を行うようになる。
【００４３】
すなわち、段階Ｓ１０８のように感知した照度値が前記最大設定値より低い場合は、温水温度を３０℃に、便座温度を３０℃にして節電温度を設定するようになる。そして、段階Ｓ１０９において、温水制御の際に水温センサ３０を利用して洗浄水の温度（水温）を検出するようになり、段階Ｓ１１０において前記検出した水温と前記設定した節電温度（温水温度、３０℃）とを比べるようになる。
【００４４】
その比較の結果、前記検出した水温が前記設定した節電温度より低い場合は、段階Ｓ１１１に移動してヒーターを駆動させるようになり、それとは異なり、前記検出した水温が前記設定した節電温度より高い場合は、段階Ｓ１１２に移動してヒーターをオフさせるようになる。
【００４５】
次いで、便座温度制御の際に、段階Ｓ１１３に移動して温度センサ４０を利用して便座温度を検出するようになり、段階Ｓ１１４において前記検出した便座温度と前記設定した節電温度（便座検出温度、３０℃）とを比べるようになる。
【００４６】
その比較の結果、前記検出した便座温度が前記設定した節電温度より低い場合は、段階Ｓ１１６に移動して熱線に電源を供給し熱線を駆動させるようになり、それとは異なり、前記検出した便座温度が前記設定した節電温度より高い場合は、段階Ｓ１１５に移動して熱線駆動電源を遮断し熱線をオフさせるようになる。
【００４７】
すなわち、照度センサ１００によって感知された照度が、最小設定値より大きく最大設定値よりは小さい場合は朝に向けて次第に明るくなる場合である。特に、早朝から朝に向かう時点であるため、その場合、洗浄水や便座がある程度温度が維持されてこそ、朝ビデを使用するとき冷気を感じられなくなる。したがって、この場合は適切な節電温度を設定した後、ヒーター及び熱線を制御して節電を行うようになる。
【００４８】
また、前記感知した照度値が前記最大設定値より大きい場合は、点灯と判断し、所定時間の間、節電を解除し、正常的な温度を設定してヒーター及び熱線の駆動を制御するようになる。
【００４９】
すなわち、段階Ｓ１１７において、前記感知した照度値が前記最大設定値より高い場合は所定時間（約１５分）の間節電を解除するようになる。そして、段階Ｓ１１８において温水温度を４０℃に、便座温度を４２℃にして正常温度を設定するようになる。
【００５０】
次いで、温水制御の際に段階Ｓ１１９に移動し水温センサ３０を利用して水温を検出するようになり、段階Ｓ１２０において前記検出した水温と前記設定した温水温度（４０℃）とを比べるようになる。
【００５１】
以降の段階Ｓ１２０において比較した結果、前記検出した水温が前記設定した温水温度より低い場合は段階Ｓ１２１に移動してヒーターを駆動させるようになり、それとは異なり、前記検出した水温が前記設定した温水温度より高い場合は段階Ｓ１２２に移動してヒーターをオフさせるようになる。
【００５２】
また、便座温度制御の際は、段階Ｓ１２３に移動し、温度センサ４０を利用して便座温度を検出するようになり、段階Ｓ１２４において前記検出した便座温度と前記設定した便座温度（４２℃）とを比べるようになる。
【００５３】
そして、前記検出した便座温度が前記設定した便座温度より低い場合は、段階Ｓ１２６に移動し、熱線に電源を供給して熱線を駆動させるようになり、それとは異なり、前記検出した便座温度が前記設定した便座温度より高い場合は段階Ｓ１２５に移動し、熱線駆動電源を遮断して熱線をオフさせるようになる。
【００５４】
すなわち、真夜中においてビデが位置した所の灯り（例えば、蛍光燈）を点灯すると、それを、使用者がビデを使うために行ったことと判断し、直ちに節電モードを解除し、迅速にヒーターおよび熱線を動作させることにより、使用者が冷気を感じずに気楽にビデを使用することができるように制御する。
【００５５】
【発明の効果】
前述した本発明によれば、照度センサを利用して照度を感知し、その感知した照度レベルに従って節電を制御することにより、最適の節電が可能になるという效果がある。
【００５６】
特に、殆どビデを使用しない時点である真夜中においては、ヒーター及び熱線を共にオフさせることにより、所要の電力を極力節減できるという長所を有する。
【図面の簡単な説明】
【図１】一般的なビデの設置状態を示す斜視図である。
【図２】従来のビデの節電制御装置の構成を示すブロック図である。
【図３】従来のビデの節電制御方法を示すフローチャートである。
【図４】本発明が適用されるビデの節電制御装置の構成を示すブロックである。
【図５ａ】本発明によるビデの節電制御方法を示すフローチャートである。
【図５ｂ】本発明によるビデの節電制御方法を示すフローチャートである。
【符号の説明】
２１  操作パネル、３０  水温センサ、４０  温度センサ、５０  制御部、６０  ヒーター駆動部、８０  熱線駆動部、９０  熱線、１００  照度センサ。
【図１】
2004300907.tif 000003
【図２】
2004300907.tif 000004
【図３】
2004300907.tif 000005
【図４】
2004300907.tif 000006
【図５ａ】
2004300907.tif 000007
【図５ｂ】
2004300907.tif 000008